(57)【要約】【課題】ユーザの要求に合わせた情報発信を可能にした情報出力装置および方法ならびにプログラムを提供する。【解決手段】情報出力装置１は、装置本体部１００（制御部１０１）が、第１の通信端末（例えば、携帯情報端末２）から第１の通信端末に関連する第１の情報（例えば、ユーザ固有の情報）を取得し、第２の通信端末（例えば、携帯情報端末３、またはＮＦＣカード４）に関連する第２の情報（例えば、携帯情報端末３  に固有の情報）を取得し、第１の情報と第２の情報とに基づいて情報を出力する。【選択図】図３
2016062305.tif 000002
【特許請求の範囲】
【請求項１】
第１の通信端末から前記第１の通信端末に関連する第１の情報を取得する第１の取得手段と、
第２の通信端末に関連する第２の情報を取得する第２の取得手段と、
前記第１の情報と前記第２の情報とに基づいて情報を出力する出力手段と、を備えたことを特徴とする情報出力装置。
【請求項２】
前記第１の取得手段は、
前記第１の通信端末と通信を行い、前記第１の情報を取得することを特徴とする請求項１記載の情報出力装置。
【請求項３】
前記第２の取得手段は、
前記第２の通信端末と通信を行ない、前記第２の情報を取得することを特徴とする請求項１記載の情報出力装置。
【請求項４】
前記通信は、
非接触通信であることを特徴とする請求項２または３記載の情報出力装置。
【請求項５】
前記第１の取得手段によって取得される前記第１の情報は、
前記第１の通信端末に固有の情報であることを特徴とする請求項１記載の情報出力装置。
【請求項６】
前記固有の情報は、
前記第１の通信端末が持つ機能の使用履歴に基づき作成されるユーザの使用傾向情報であることを特徴とする請求項５記載の情報出力装置。
【請求項７】
前記第２の取得手段により取得される前記第２の情報は、
前記第２の通信端末に固有の情報であることを特徴とする請求項１記載の情報出力装置。
【請求項８】
前記固有の情報は、
ユーザもしくは販売者によって選択される前記第１の通信端末に代わる前記第２の通信端末が持つ機能情報であることを特徴とする請求項７記載の情報出力装置。
【請求項９】
前記出力手段は、
前記第１の通信端末の固有情報と、前記第２の通信端末の固有情報とを比較して前記第３の情報を出力することを特徴とする請求項１記載の情報出力装置。
【請求項１０】
前記出力手段によって出力される前記第３の情報は、
前記第１の通信端末と前記第２の通信端末が持つそれぞれの機能の差分に基づいて作成される出力情報であることを特徴とする請求項９記載の情報出力装置。
【請求項１１】
前記第１の通信端末および／または前記第２の通信端末は、
携帯情報端末であることを特徴とする請求項１〜１０のいずれか１項記載の情報出力装置。
【請求項１２】
第１の通信端末から前記第１の通信端末に関連する第１の情報を取得するステップと、
第２の通信端末に関連する第２の情報を取得する第２のステップと、
前記第１の情報と前記第２の情報とに基づいて情報を出力するステップと、を有することを特徴とする情報出力方法。
【請求項１３】
第１の通信端末から前記第１の通信端末に関連する第１の情報を取得する機能と、
第２の通信端末に関連する第２の情報を取得する機能と、
前記第１の情報と前記第２の情報とに基づいて情報を出力する機能とを実行する情報出力装置のプログラム。
【発明の詳細な説明】
【技術分野】
【０００１】
本発明は、情報出力装置および方法ならびにプログラムに関する。
【背景技術】
【０００２】
例えば、特許文献１に、コンテンツの輪郭の形状に形成されたスクリーンにコンテンツを投影して印象を高めることができる映像出力装置の技術が開示されている。
【先行技術文献】
【特許文献】
【０００３】
【特許文献１】特開２０１１−１５０２２１号公報
【発明の概要】
【発明が解決しようとする課題】
【０００４】
特許文献１に開示された映像出力装置によれば、例えば、商品の販売促進のためのプレゼンテーションのように一方的に説明動画を投影する場合が殆どであり、必ずしも視聴者であるユーザの要求（ニーズ）に合った情報発信形態になっていないのが現状である。
【０００５】
例えば、スマートフォン等の携帯情報端末において、機能的な情報が複雑かつ膨大で、しかも使用者の嗜好によって必要とする機能がそれぞれ異なるような商品に関する情報を取得する場合、ユーザは、まず、多数ある機能の中から自分が欲しい機能に優先順位を付し、そのうえで対象の商品の機能と比較するのが普通である。ここで、上記した映像出力装置において、このような情報を発信しようとする場合、従来の一方的な情報発信の仕方では、視聴者であるユーザの要求にあわせた情報を発信することが困難であった。
【０００６】
本発明は上記した課題を解決するためになされたものであり、ユーザの要求に合わせた情報発信が可能な、情報出力装置および方法ならびにプログラムを提供することを目的とする。
【課題を解決するための手段】
【０００７】
上記した課題を解決するために本発明の情報出力装置は、第１の通信端末から前記第１の通信端末に関連する第１の情報を取得する第１の取得手段と、第２の通信端末に関連する第２の情報を取得する第２の取得手段と、前記第１の情報と前記第２の情報とに基づいて情報を出力する出力手段と、を備えたことを特徴とする。
【発明の効果】
【０００８】
本発明によれば、ユーザの要求に合わせた情報発信が可能な、情報出力装置および方法ならびにプログラムを提供することができる。
【図面の簡単な説明】
【０００９】
【図１】本実施形態に係る情報出力装置の利用形態ならびに外観構造を示す図である。
【図２】図１のＩ−Ｉ位置で切断した情報出力装置の分解斜視図である。
【図３】本発明の実施の形態に係る情報出力装置の制御系の構成を示すブロック図である。
【図４】本発明の実施の形態に係る情報出力装置の基本動作を示すフローチャートである。
【図５】図４のユーザの使用履歴に基づく傾向推定処理の詳細手順を示すフローチャートである。
【図６】図４の情報出力内容決定処理の詳細手順を示すフローチャートである。
【発明を実施するための形態】
【００１０】
以下、添付図面を参照して、本発明を実施するための形態（以下、本実施形態と言う）について詳細に説明する。なお、実施形態の説明の全体を通して同じ要素には同じ番号または符号を付している。
【００１１】
（実施形態の構成）
図１は、本実施形態に係る情報出力装置の利用形態ならびに外観構造を示す図である。図１に示すように、本実施形態に係る情報出力装置１が情報を発信する対象は、スマートフォン等多機能の携帯情報端末２（第１の通信端末），３（第２の通信端末）、あるいは、ＮＦＣ（Near  Field  Communication）カードに記録された携帯情報端末３の仕様を含む商品情報とする。こここで、携帯情報端末２，３、あるいはＮＦＣカード４は、近距離無線通信の国際規格であるＮＦＣに準拠した近距離無線通信インターェースをＩＣチップの形態で内蔵し、また、情報出力装置１も、ＮＦＣパネル３０等、携帯情報端末２，３、あるいはＮＦＣカードの内部情報を取得する近距離無線通信インタフェースを内蔵するものとする。
【００１２】
ここでは、現在使用中の携帯情報端末２を、新機種の携帯情報端末３に機種変更するために、店頭に出向いたユーザが、情報出力装置１から両機種が持つ仕様の違いについて説明を受けるシーンを想定する。このとき、視聴者であるユーザは、まず、使用中の携帯情報端末２を情報出力装置１のＮＦＣパネル３０にかざす。次に、店頭に並ぶ多数の携帯情報端末３の中から購入を希望する新規に発売された携帯情報端末３を選択し、その携帯情報端末３に対応して設置されたＮＦＣカード４を取り出し、情報出力装置１のＮＦＣパネル３０にかざす。なお、この手順を経て、本実施形態に係る情報出力装置１は、ユーザが使用中の携帯情報端末２が持つ仕様と、購入を予定している新機種である携帯情報端末３が持つ仕様とを比較し、その差異等について情報出力する。
【００１３】
なお、ここで、ＮＦＣカード４を用いた理由は、店頭に並べられる商品は、携帯情報端末３のモックアップ（模型）である場合がほとんどであることに基づく。実際の商品があれば、ＮＦＣカード４によらず、選択された携帯情報端末３でよい。
【００１４】
図１に外観構造を示すように、本実施形態に係る情報出力装置１は、全体略矩箱状の筐体２０を有する。なお、以下の説明において、筐体２０を机等に載置した際の上方（上側）を「上方（上側）」とし、後述するスクリーン２６側を前方（前側）とし、スクリーン２６と反対側を後方（後側）として説明する。
【００１５】
筐体２０は、前後左右を囲う側板２１を有し、上方に開口部を有する。なお、図１では、透明部２３１がある場所は示しているが、透明部２３１自体は図示しておらず、透明部２３１を含んだ図については、図２に分解斜視図で示している。図２に示すように、開口部には、中央が光を透過する透明部２３１とされ、透明部２３１以外の部分が、例えば黒色印刷等により、筐体２０の内部が見えないようにされたパネル２３が取り付けられている。
【００１６】
なお、パネル２３は、透明な樹脂製の平板からなり、その板の筐体２０内部の面の透明部２３１以外の部分を黒色印刷等により遮光するようにしているが、この黒色印刷等は、必ずしも必要なく、全部が透明部２３１であるパネル２３でもよい。また、筐体２０の右側板２１１にはスリット状の吸気口２４が設けられており、左側板２１２には図示省略したスリット状の排気口が設けられている。
【００１７】
また、筐体２０の手前側には、図１に示した携帯情報端末２，３をかざすときの載置面であるＮＦＣパネル３０が設けられている。このＮＦＣパネル３０は、アンテナおよび高周波回路を含み、ＮＦＣチップを内蔵した携帯情報端末２，３、あるいはＮＦＣカード４と近距離無線通信（非接触通信）が可能である。
【００１８】
図２に示すように、筐体２０の内部における略中央には、投影光を生成して筐体２０の後方に向けて射出する投影部２７が設けられている。筐体２０の後方には、凹面の反射面を有する第１のミラー２８が、投影部２７からの投影光を、平面の反射面を有する第２のミラー３１へ向けて反射し、続いて第２のミラー３１で反射された投影光がスクリーン２６へ向けて反射するように設けられている。
【００１９】
したがって、投影部２７から発せられた投影光（画像）ＬＢ１は、第１のミラー２８で下方に向けて反射された後、第２のミラー３１で上方に向けて反射され、パネル２３の透明部２３１を通って筐体２０の外部に設けられているスクリーン２６に投射される（投影光ＬＢ２）。
【００２０】
投写された画像を映すスクリーン２６は、スクリーン取付け部２９により回動可能に支持されており、使用時にはスクリーン２６を立てた状態にでき、使用しない時は、筐体２０側にスクリーン２６を倒した状態に格納することができるようになっている。
【００２１】
なお、投影部２７は、後述する装置本体部１００（制御部１０１）により生成される投影画像に基づいてスクリーン２６の背面から映像コンテンツを投影する背面投射型の投影装置である。投影部２７は、例えば、投影画像に基づいて、アレイ状に配列された複数個（ＸＧＡの場合、横１０２４画素×縦７６８画素）の微小ミラーの各傾斜角度を個々に高速でオン／オフ動作して表示動作することでその反射光により光像を形成する表示素子であるＤＭＤ（デジタルマイクロミラーデバイス）を利用したＤＬＰ（Digital  Light  Processing）(登録商標)プロジェクタが適用可能である。投影画像における投影対象物の領域に対応する位置の微小ミラーをオンし、その他の領域をオフすることで、投影対象物のみをスクリーン２６に投影することが可能となる。
【００２２】
図３に、本実施形態に係る情報出力装置１の制御系の構成が示されている。図３に示すように、本実施形態に係る情報出力装置１は、装置本体部１００と、図２で説明した投影部２７およびＮＦＣパネル３０と、スピーカ４０とにより構成される。装置本体部１００は、制御部１０１と、操作部１０２と、表示部１０３と、記憶部１０４と、外部接続インタフェース部（Ｉ／Ｆ１０５）と、近距離無線通信部１０６と、音声出力部１０７と、を含む。
【００２３】
なお、装置本体部１００には、内蔵するＩ／Ｆ１０５を介して投影部２７が、近距離無線通信部１０６を介してＮＦＣパネル３０が、音声出力部１０７を介してスピーカ４０が、それぞれ接続されている。
【００２４】
制御部１０１は、図示省略するが、ＣＰＵ（Central  Processing  Unit）、ＲＡＭ（Random  Access  Memory）等を備えて構成される。制御部１０１のＣＰＵは、記憶部１０４のプログラム領域１０４ａに記憶されているプログラムを読み出し、ＲＡＭのワークエリアに展開し、展開したプログラムに従って映像投影処理を始めとする以下に示す各種処理を実行する。制御部１０１のＲＡＭは、揮発性のメモリであり、ＣＰＵにより実行される各種プログラムやこれら各種プログラムに係るデータ等を記憶する作業領域１０４ｂが割り当てられている。なお、ここでいう各種プログラムの中に、本実施形態に係る情報出力装置のプログラムが含まれる。
【００２５】
制御部１０１は、ユーザが携帯情報端末２をＮＦＣパネル３０にかざすと、近距離無線通信部１０６を介して通信を行い、その携帯情報端末２に固有の第１の情報を読み取る。ここで、携帯情報端末２に固有の第１の情報とは、例えば、携帯情報端末２が持つ機能の仕様履歴に基づき作成されるユーザの使用傾向情報である。
【００２６】
制御部１０１は、ユーザが携帯情報端末３（代替機種）あるいはそのＮＦＣカード４をＮＦＣパネル３０にかざすと、近距離無線通信部１０６を介して通信を行い、その携帯情報端末３に固有の第２の情報を読み取る。ここで、携帯情報端末３に固有の第２の情報とは、例えば、ユーザもしくは販売者によって選択される携帯情報端末２に代わる携帯情報端末３が持つ機能情報である
【００２７】
制御部１０１は、携帯情報端末２の固有情報と、携帯情報端末３の固有情報とを比較して第３の情報を出力する。ここで、第３の情報とは、例えば、携帯情報端末２と携帯情報端末３が持つそれぞれの機能の差分に基づき作成される出力情報である。
【００２８】
このため、制御部１０１は、第１の通信端末（携帯情報端末２）から第１の通信端末に関連する第１の情報を取得する第１の取得手段として、また、第２の通信端末（携帯情報端末３）に関連する第２の情報を取得する第２の取得手段として、更には、第１の情報と第２の情報とに基づいて情報を出力する出力手段と、してそれぞれ機能する。
【００２９】
操作部１０２は、各種機能キーやカーソルキー等を有し、ユーザによるキー入力を受け付けてその操作情報を制御部１０１に出力する。表示部１０３は、ＬＣＤ（Liquid  Crystal  Display）等により構成され、制御部１０１からの表示制御信号に従って、各種表示を行う。
【００３０】
記憶部１０４は、ＨＤＤ（Hard  Disk  Drive）や半導体の不揮発性メモリ等により構成される。記憶部１０４には、プログラム領域１０４ａ、作業領域１０４ｂが割り当てられており、プログラム領域１０４ａには本実施形態に係る情報出力装置１のプログラムが、作業領域１０４ｂには、プログラムの実行過程で生成される各種データ、例えば、プレゼンテーション用の映像コンテンツや音声データ等がそれぞれ記憶される。
【００３１】
Ｉ／Ｆ１０５は、投影部２７と接続し、映像コンテンツのデー送受信を行うためのインタフェースである。近距離無線通信部１０６は、ＮＦＣパネル３０に接続され、ＮＦＣパネル３０にかざされる携帯情報端末２，３あるいはＮＦＣカードとの間で、近距離無線通信の国際規格であるＮＦＣに準拠したプロトコルに基つく通信を行う近距離無線通信インタフェースである。
【００３２】
音声出力部１０７は、スピーカ４０が接続され、制御部１０１により生成された音声データを音声信号に変換してスピーカ４０から出力させる。
【００３３】
なお、携帯情報端末２，３は、例えば、タブレットとして標準的に持つハードウエアと、ＯＳ（Operating  System）、入出力ドライバ、ならびにアプリケーション等のソフトウエアとを内蔵し、特に、携帯情報端末２は、後述するように、ユーザの携帯情報端末２が持つ機能の使用履歴に基づく使用傾向情報を収集する流通ソフトウエア（アプリケーションプログラム）が予めインストールされているものとする。
【００３４】
（実施形態の動作）
以下、図４以降のフローチャートを参照して本実施形態に係る情報出力装置１の動作について詳細に説明する。
【００３５】
まず、図４の基本動作フローチャートを参照しながら、図４に示す本実施形態に係る情報出力装置１の制御系の動作について説明する。
【００３６】
図４によれば、装置本体部１００の制御部１０１は、まず、ユーザが使用中の携帯情報端末２から、その情報端末固有の情報、及びユーザ固有の情報をそれぞれ取得する（ステップＳ１１，Ｓ１２）。
【００３７】
ここで、情報端末固有の情報とは、携帯情報端末２が持つ機能や仕様（以下、「機能」と総称する）に係る情報であり、例えば、携帯情報端末２がスマートフォンであれば、販売元、搭載されているＯＳ、記憶容量、ユーザーインターフェース仕様、ワンセグやフルセグ機能の有無、インストールされているアプリケーションプログラムの種別、解像度、レンズ性能、防水性能、重さ、薄さ、等の仕様をいう。また、ユーザ固有情報とは、その機能や仕様の使用履歴情報であり、インストールされてあるアプリケーションプログラムの種類と数、特定のアプリケーションプログラムや機能の使用頻度と使用時間、使用バッテリの充電頻度、通話時間、通話頻度、メモリ使用量、カメラの使用頻度、等をいう。
【００３８】
携帯情報端末２は、ユーザの、携帯情報端末２が持つ機能の使用履歴に基づく使用傾向情報を収集するためのアプリケーションプログラムをインストールしてあることは上記した通りである。このため、制御部１０１は、携帯情報端末２から取得した機能情報、および携帯情報端末２から取得したユーザの使用履歴情報から、機能使用履歴に基づく携帯情報端末２の使用傾向推定処理を実行することができる（ステップＳ１３）。
【００３９】
次に、ユーザは、店頭に並ぶ多数の携帯情報端末３の中から購入を希望する新規に発売された機種を選択し、その携帯情報端末３、またはその携帯情報端末３に対応して設置されたＮＦＣカード４を取り出して情報出力装置１のＮＦＣパネル３０にかざす。このため、情報出力装置１は、ユーザが選択した携帯情報端末３と近距離無線通信部１０６を介したＮＦＣ規格に基づく近距離無線通信を行い、携帯情報端末３、あるいはＮＦＣカード４に記録された携帯情報端末３に固有の情報である機能情報を取得することが出来る（ステップＳ１４）。
【００４０】
続いて、制御部１０１は、ユーザが使用中の携帯情報端末２が持つ機能と、購入を予定している新機種である携帯情報端末３が持つ機能とを比較し、その差分等について情報出力するための内容を決定する（ステップＳ１５）。そして制御部１０１は、決定された内容に基づき、画像情報ならびに音声情報を生成し、画像情報は、Ｉ／Ｆ１０５経由で投影部２７に出力し、音声情報は、音声出力部１０７を介してスピーカ４０に出力してアナウンス（情報出力）する（ステップＳ１６）。
【００４１】
ユーザの使用履歴に基づく傾向推定処理（ステップＳ１３）の具体的手順の一例が図５に、情報出力内容の決定処理（ステップＳ１５）の具体的手順の一例が、図６にそれぞれ示されている。まず、図５のフローチャートを参照しながら、ユーザの使用履歴に基づく傾向推定処理について説明する。
【００４２】
図５に示すように、制御部１０１は、予めインストールされた履歴収集および傾向推定処理用のアプリケーションプログラムにしたがい、ゲームアプリケーションの使用履歴（時間）を計測し（ステップＳ１３１）、予め用意した閾値との比較を行う（ステップＳ１３２）。そして、閾値を超えていると判定されると（ステップＳ１３２“ＹＥＳ”）、制御部１０１は、ユーザの使用傾向推定のために、割り当てられるモニタ重要度を超えている程度に応じて＋方向に更新し、かつ、形状待ちやすさについても同じく重要度を＋方向に更新する（ステップＳ１３３）。ここで、＋方向に更新する量として、例えば閾値と比較し、その差分に基づくものとする。例えば、使用時間が閾値のｎ倍の場合、ｎ分＋方向に更新する。
【００４３】
ステップＳ１３３で重要度を更新した後、あるいは、ステップＳ１３２で閾値未満と判定されると（ステップＳ１３２“ＮＯ”）、制御部１０１は、携帯情報端末２に内蔵されたカメラの使用頻度を計測し（ステップＳ１３４）、予め用意した閾値と比較する（ステップＳ１３５）。そして、閾値を超えていると判定された場合（ステップＳ１３５“ＹＥＳ”）、制御部１０１は、解像度に関係して設けられるカメラ画素重要度を、閾値を超えた程度に応じて＋方向に更新し、画質重要度についても同様に重要度を、閾値を超えた程度に応じて＋方向に更新する（ステップＳ１３６）。
【００４４】
ステップＳ１３６で重要度を更新した後、あるいは、ステップＳ１３５で閾値未満である判定されると（ステップＳ１３５“ＮＯ”）、制御部１０１は、ワンセグ視聴時間を計測し（ステップＳ１３７）、予め用意した閾値と比較する（ステップＳ１３８）。そして、閾値を超えていると判定された場合（ステップＳ１３８“ＹＥＳ”）、制御部１０１は、モニタ重要度を、閾値を超えた程度に応じて＋方向に更新する（ステップＳ１３９）。
【００４５】
ステップＳ１３９で重要度を更新した後、あるいは、ステップＳ１３８で閾値未満である判定されると（ステップＳ１３８“ＮＯ”）、制御部１０１は、携帯情報端末２に内蔵されているバッテリの充電時間を計測し（ステップＳ１４０）、予め用意した閾値と比較する（ステップＳ１４１）。そして、閾値を超えていると判定された場合（ステップＳ１４１“ＹＥＳ”）、制御部１０１は、バッテリ重要度を、閾値を超えた程度に応じて＋方向に更新する（ステップＳ１４２）。
【００４６】
ステップＳ１４２で重要度を更新した後、あるいは、ステップＳ１４１で閾値未満である判定されると（ステップＳ１４１“ＮＯ”）、制御部１０１は、ＨＤＤ（Hard  Disc  Drive）等、記憶部１０４のメモリ使用量を計測し（ステップＳ１４３）、予め用意した閾値と比較する（ステップＳ１４４）。そして、閾値を超えていると判定された場合（ステップＳ１４４“ＹＥＳ”）、制御部１０１は、使用対象（容量）に応じて重要度を＋方向に更新する（ステップＳ１４５）。
【００４７】
ステップＳ１４５で重要度を更新した後、あるいは、ステップＳ１４４で閾値未満である判定されると（ステップＳ１４４“ＮＯ”）、制御部１０１は、それぞれの重要度を、それぞれに用意された標準使用時における重要度と比較し、その大小によってユーザの使用傾向情報を決定する（ステップＳ１４６）。
【００４８】
なお、上記した重要度に関する情報は、閾値が示す標準使用状態におけるスコアを基準に＋更新されるもので、制御部１０１が、携帯情報端末２が持つ機能毎に（ステップＳ１３３，Ｓ１３９のモニタ、ステップＳ１３６のカメラ画素数、ステップＳ１４２のバッテリ、ステップＳ１４５のメモリ使用量）、プログラムによって割り付けられたカウンタを制御することにより実現され、これらは、それぞれに用意された閾値と比較し、その差分の程度により、ユーザの使用傾向を判定するために使用される。例えば、ステップＳ１３０でワンセグ視聴時間の示す重要度が２、ステップＳ１４６では、ゲームアプリやワンセグの使用時間を示すモニタ重要度が例えば３、バッテリの充電時間やメモリ使用量を示す重要度が、例えば、５であるとする。上記の例では、バッテリの充電時間やメモリ使用量が最も重要な機能であり後述する符号ａの機能とし，符号ｂの機能はモニタ,符号ｃの機能はワンセグとなる。
【００４９】
なお、図５では、傾向推定に使用する項目をゲームアプリの使用時間、カメラの使用頻度、ワンセグ視聴時間、バッテリ充電時間、ＨＤ等内部メモリの使用量として重要度を判定する流れとしたが、この項目あるいは順序に制限されるものでない。例えば、音楽再生アプリケーションの使用頻度を判定することで音楽の嗜好が高い、あるいは通話時間を計測することで一度に長い通話を行なう傾向がある等、ユーザの嗜好に関する傾向判定も可能であり、それぞれの項目に対して閾値を設定し閾値を越えた項目を統合することにより情報出力内容を決定することができる。
【００５０】
図６に、情報出力内容の決定処理（図４のステップＳ１５）の流れが示されている。ここでいう情報出力内容とは、例えば、代替機種との機能比較において、カメラ使用頻度が高い視聴者には代替機種とのカメラ機能を比較した情報を出力することであり、例えば、画素が増えた、レンズが明るくなった、広角になった、等の情報をいう。また、ゲーム使用頻度が高い視聴者には、ＯＳの処理速度が向上して動作が軽くなった、画面の表示がきれいになった等の情報であり、充電回数が多いユーザには、代替機種で増加するバッテリ容量、節電機能が付加された等の情報である。以下、図６のフローチャートを参照しながら情報出力内容の決定処理について詳細に説明する。
【００５１】
図６において、符号Ａは代替機種（携帯情報端末３）で推奨する機能を、符号Ｂは使用中の機種（携帯情報端末２）と代替機種（携帯情報端末３）との機能比較の結果性能が向上する機能を、符号Ｃは上記と同じ機能比較の結果性能が低下する機能又は無くなる機能を、それぞれいう。また、符号ａ，ｂ，ｃは、ユーザの使用傾向情報から情報出力（アナウンス）のためにランキングした機能のことを示し、符号ａからｃに向かってランクが低くなっているものとする。
【００５２】
情報出力内容の決定にあたり、制御部１０１は、まず、ランキングした機能ａと、代替機種に機種変更したことにより性能が低下する機能又は無くなる機能Ｃとが等しいか否かを判定する（ステップＳ１５１）。ここで、ａ＝Ｃと判定された場合（ステップＳ１５１“ＹＥＳ”）、制御部１０１は、ａに示す機能が無いことから、他機種を推奨する画像情報および音声情報を生成し、Ｉ／Ｆ１０５，音声出力部１０７経由で、画像情報を投影部２７に、音声情報をスピーカ４０に出力する（ステップＳ１５２）。
【００５３】
ステップＳ１５２で情報出力した後、あるいは、ステップＳ１５１でａ≠Ｃである判定されると（ステップＳ１５１“ＮＯ”）、制御部１０１は、続いてランキングされた機能ｂと、機種変更により性能が低下する機能又は無くなる機能Ｃとが等しいか否かを判定する（ステップＳ１５３）。ここで、ｂ＝Ｃと判定された場合（ステップＳ１５３“ＹＥＳ”）、制御部１０１は、ｂで示す性能が低下する機能又は無くなる機能が無いため、情報出力内容として他機種を推奨する画像情報および音声情報を生成し、それぞれＩ／Ｆ１０５，音声出力部１０７経由で、投影部２７、スピーカ４０に出力する（ステップＳ１５４）。
【００５４】
ステップＳ１５４で情報出力した後、あるいは、ステップＳ１５３でｂ≠Ｃである判定されると（ステップＳ１５３“ＮＯ”）、制御部１０１は、続いてランキングされた機能ｃと、機種変更により性能が低下する機能又は無くなる機能Ｃとが等しいか否かを判定する（ステップＳ１５５）。ここで、ｃ＝Ｃと判定された場合（ステップＳ１５５“ＹＥＳ”）、制御部１０１は、代替機種にｃで示す機能が無いため、情報出力内容として他機種を推奨する画像情報および音声情報を生成し、それぞれＩ／Ｆ１０５，音声出力部１０７経由で、投影部２７、スピーカ４０に出力する（ステップＳ１５６）。
【００５５】
ステップＳ１５６で情報出力した後、あるいは、ステップＳ１５５でｃ≠Ｃである判定されると（ステップＳ１５５“ＮＯ”）、制御部１０１は、最上位にランキングされた機能ａと、代替機種で推奨する機能Ａとが等しく、かつ使用中の携帯情報端末２と代替機種である携帯情報端末３との比較の結果性能が向上する機能Ｂとが等しいか否かを判定する（ステップＳ１５７）。ここで、ａ＝Ａ、かつａ＝Ｂであると判定された場合（ステップＳ１５５“ＹＥＳ”）、制御部１０１は、ａで示す機能をおすすめ情報出力内容として決定し、そのための画像情報および音声情報を生成し、それぞれＩ／Ｆ１０５，音声出力部１０７経由で、投影部２７、スピーカ４０に出力する（ステップＳ１５８）。
【００５６】
ステップＳ１５８で情報出力した後、あるいは、ステップＳ１５７でａ≠Ａ、かつａ≠Ｂであると判定されると（ステップＳ１５７“ＮＯ”）、制御部１０１は、続いてランキングされた機能ｂと、代替機種で推奨する機能Ａとが等しく、かつ使用中の携帯情報端末２と代替機種である携帯情報端末３との比較の結果性能が向上する機能Ｂとが等しいか否かを判定する（ステップＳ１５９）。ここで、ｂ＝Ａかつｂ＝Ｂであると判定された場合（ステップＳ１５９“ＹＥＳ”）、制御部１０１は、情報出力内容をｂで示す機能に決定し、そのための画像情報および音声情報を生成し、それぞれＩ／Ｆ１０５，音声出力部１０７経由で、投影部２７、スピーカ４０に出力する（ステップＳ１６０）。
【００５７】
ステップＳ１６０で情報出力した後、あるいは、ステップＳ１５９でｂ≠Ａかつｂ≠Ｂであると判定されると（ステップＳ１５９“ＮＯ”）、制御部１０１は、下位にランキングされた機能ｃと、代替機種で推奨する機能Ａとが等しく、かつ使用中の携帯情報端末２と代替機種である携帯情報端末３との比較の結果性能が向上する機能Ｂとが等しいか否かを判定する（ステップＳ１６１）。ここで、ｃ＝Ａかつｃ＝Ｂであると判定された場合（ステップＳ１６１“ＹＥＳ”）、制御部１０１は、情報出力内容をｃで示す機能に決定し、そのための画像情報および音声情報を生成し、それぞれＩ／Ｆ１０５，音声出力部１０７経由で、投影部２７、スピーカ４０に出力する（ステップＳ１６２）。
【００５８】
なお、ステップＳ１６１で、ｃ≠Ａかつｃ≠Ｂであると判定されると（ステップＳ１６１“ＮＯ”）、制御部１０１は、全ての機能がダウングレードすることを示唆する情報をアナウンスするように、そのための画像情報および音声情報を生成し、それぞれＩ／Ｆ１０５，音声出力部１０７経由で、投影部２７、スピーカ４０に出力する（ステップＳ１６３）。
【００５９】
（実施形態の効果）
以上説明のように、本実施形態に係る情報出力装置１によれば、装置本体部１００の制御部１０１が、第１の通信端末（例えば、携帯情報端末２）から第１の通信端末に関連する第１の情報（例えば、ユーザ固有の情報）を取得し、第２の通信端末（例えば、携帯情報端末３）に関連する第２の情報（例えば、携帯情報端末３の固有の情報）を取得し、第１の情報と第２の情報とに基づいて情報を出力することにより、ユーザの要求に合わせた情報発信が可能になる。
【００６０】
すなわち、制御部１０１が、近距離無線通信により携帯情報端末２からユーザの使用履歴に基づくユーザの使用傾向情報（ユーザ固有の情報）を取得し、同じく近距離無線通信により携帯情報端末３から携帯情報端末３が持つ機能の機能情報（携帯情報端末３の固有の情報）を取得し、これらの差分に基づいてユーザにアナウンスする出力情報を決定し、映像および音声で再生出力する。このため、ユーザは、例えば、店舗に出向き、本実施形態に係る情報出力装置１を利用することで、現在所持している携帯情報端末２と代替機種である携帯情報端末３との機能比較を行なうことができる。
【００６１】
このとき、例えば、代替機種に機種変更した場合の利点等について映像および音声でアナウンスされるため、ーザは、カタログだけでは分かりにくい仕様にかかる部分の理解を深めることができ、また、店舗側でも情報出力装置１により販売員の負担を削減しながら販売促進が可能になるため、高い投資効果で接客回転率の向上も期待できる。
【００６２】
なお、本実施形態に係る情報出力装置１によれば、ＮＦＣの規格に基づく近距離無線通信により携帯情報端末固有の情報を取得する例についてのみ説明したが、ＮＦＣ規格にかぎらず、例えば、無線ＬＡＮ（LLocal  Area  Network）やＢｌｕｅｔｏｏｔｈ（登録商標）等の近距離無線通信規格を利用してもよい。
【００６３】
以上、実施形態を用いて本発明を説明したが、本発明の技術的範囲は上記実施形態に記載の範囲には限定されないことは言うまでもない。上記実施形態に、多様な変更または改良を加えることが可能であることが当業者に明らかである。またその様な変更または改良を加えた形態も本発明の技術的範囲に含まれ得ることが、特許請求の範囲の記載から明らかである。
【００６４】
以下に、この出願の願書に最初に添付した特許請求の範囲に記載した発明を付記する。付記に記載した請求項の項番は、この出願の願書に最初に添付した特許請求の範囲の通りである。
【００６５】
〔付記〕
［請求項１］
第１の通信端末から前記第１の通信端末に関連する第１の情報を取得する第１の取得手段と、第２の通信端末に関連する第２の情報を取得する第２の取得手段と、前記第１の情報と前記第２の情報とに基づいて情報を出力する出力手段と、を備えたことを特徴とする情報出力装置。
［請求項２］
前記第１の取得手段は、
前記第１の通信端末と通信を行い、前記第１の情報を取得することを特徴とする請求項１記載の情報出力装置。
［請求項３］
前記第２の取得手段は、
前記第２の通信端末と通信を行ない、前記第２の情報を取得することを特徴とする請求項１記載の情報出力装置。
［請求項４］
前記通信は、
非接触通信であることを特徴とする請求項２または３記載の情報出力装置。
［請求項５］
前記第１の取得手段によって取得される前記第１の情報は、
前記第１の通信端末に固有の情報であることを特徴とする請求項１記載の情報出力装置。
［請求項６］
前記固有の情報は、
前記第１の通信端末が持つ機能の使用履歴に基づき作成されるユーザの使用傾向情報であることを特徴とする請求項５記載の情報出力装置。
［請求項７］
前記第２の取得手段により取得される前記第２の情報は、
前記第２の通信端末に固有の情報であることを特徴とする請求項１記載の情報出力装置。
［請求項８］
前記固有の情報は、
ユーザもしくは販売者によって選択される前記第１の通信端末に代わる前記第２の通信端末が持つ機能情報であることを特徴とする請求項７記載の情報出力装置。
［請求項９］
前記出力手段は、
前記第１の通信端末の固有情報と、前記第２の通信端末の固有情報とを比較して前記第３の情報を出力することを特徴とする請求項１記載の情報出力装置。
［請求項１０］
前記出力手段によって出力される前記第３の情報は、
前記第１の通信端末と前記第２の通信端末が持つそれぞれの機能の差分に基づいて作成される出力情報であることを特徴とする請求項９記載の情報出力装置。
［請求項１１］
前記第１の通信端末および／または前記第２の通信端末は、
携帯情報端末であることを特徴とする請求項１〜１０のいずれか１項記載の情報出力装置。
［請求項１２］
第１の通信端末から前記第１の通信端末に関連する第１の情報を取得するステップと、
第２の通信端末に関連する第２の情報を取得する第２のステップと、
前記第１の情報と前記第２の情報とに基づいて情報を出力するステップと、を有することを特徴とする情報出力方法。
［請求項１３］
第１の通信端末から前記第１の通信端末に関連する第１の情報を取得する機能と、
第２の通信端末に関連する第２の情報を取得する機能と、
前記第１の情報と前記第２の情報とに基づいて情報を出力する機能とを実行する情報出力装置のプログラム。
【符号の説明】
【００６６】
１…情報出力装置、２…携帯情報端末（第１の通信端末）、３…携帯情報端末（第２の通信端末）、４…ＮＦＣカード、２６…スクリーン、２７…投影部（プロジェクタ）、３０…ＮＦＣパネル、４０…スピーカ、１００…装置本体部、１０１…制御部、１０２…操作部、１０３…表示部、１０４…記憶部、１０５…インタフェース部（Ｉ／Ｆ）、１０６…近距離無線通信部、１０７…音声出力部
【図１】
2016062305.tif 000003
【図２】
2016062305.tif 000004
【図３】
2016062305.tif 000005
【図４】
2016062305.tif 000006
【図５】
2016062305.tif 000007
【図６】
2016062305.tif 000008